(57)【要約】【課題】素材サーバに蓄積された素材データをＯＡサーバとの間で同期させて一括管理する。【解決手段】生成された映像／音声信号からなる素材データを少なくとも１つの素材サーバ４３へ順次蓄積し、放送網へ送出する素材データを蓄積する少なくとも１つのＯＡサーバ４４に対し素材サーバ４３に蓄積されている素材データについて同期属性又は非同期属性の何れを有するか特定し、素材サーバ４３とＯＡサーバ４４とに存在する同一の素材データが同期属性を有する場合には、該素材データに対する処理動作を素材サーバ４３とＯＡサーバ４４との間で同期化させる。【選択図】  図１
2005004661.tif 000002
【特許請求の範囲】
【請求項１】
生成された映像／音声信号からなる素材データを順次蓄積する少なくとも１つの第１のサーバと、
送出される素材データを蓄積する少なくとも１つの第２のサーバと、
上記第１のサーバに蓄積されている素材データについて、上記第２のサーバに対し同期属性又は非同期属性の何れを有するか特定するための属性特定手段と、上記第１のサーバと上記第２のサーバとに存在する同期属性を有する同一の素材データに対する処理動作を同期化させる同期化手段とを有する電子機器とを備えること
を特徴とするデータ管理システム。
【請求項２】
上記属性特定手段は、上記素材データを構成するファイルを収納するためのフォルダにつき、同期属性又は非同期属性の何れを有するか特定し、
上記同期化手段は、同期属性を有するフォルダに収納される素材データを上記第２のサーバとの間で同期させること
を特徴とする請求項１記載のデータ管理システム。
【請求項３】
上記電子機器は、上記第１のサーバに記録されている素材データに対して実行すべき処理動作を指定するための動作指定手段をさらに備え、
上記同期化手段は、同期属性を有する素材データに対して上記処理動作が指定された場合には、当該処理動作を上記第２のサーバとの間で同期させた素材データに対して実行すること
を特徴とする請求項１記載のデータ管理システム。
【請求項４】
生成された映像／音声信号からなる素材データを少なくとも１つの第１のサーバへ順次蓄積し、
送出される素材データを蓄積する少なくとも１つの第２のサーバに対し、上記第１のサーバに蓄積されている素材データについて同期属性又は非同期属性の何れを有するか特定し、
上記第１のサーバと上記第２のサーバとに存在する同一の素材データが同期属性を有する場合には、該素材データに対する処理動作を上記第１のサーバと上記第２のサーバとの間で同期化させること
を特徴とするデータ管理方法。
【請求項５】
生成された映像／音声信号からなる素材データを少なくとも１つの第１のサーバへ順次蓄積し、
送出される素材データを蓄積する少なくとも１つの第２のサーバに対し、上記第１のサーバに蓄積されている素材データについて同期属性又は非同期属性の何れを有するか特定し、
上記第１のサーバと上記第２のサーバとに存在する同一の素材データが同期属性を有する場合には、当該素材データに対する処理動作を上記第１のサーバと上記第２のサーバとの間で同期化させること
をコンピュータに実行させるためのプログラム。
【請求項６】
生成された映像／音声信号からなる素材データを少なくとも１つの第１のサーバへ順次蓄積し、
送出される素材データを蓄積する少なくとも１つの第２のサーバに対し、上記第１のサーバに蓄積されている素材データについて同期属性又は非同期属性の何れを有するか特定し、
上記第１のサーバと上記第２のサーバとに存在する同一の素材データが同期属性を有する場合には、当該素材データに対する処理動作を上記第１のサーバと上記第２のサーバとの間で同期化させることを実行させるためのプログラムを記録したコンピュータ読み取り可能な記録媒体。
【発明の詳細な説明】
【０００１】
【発明の属する技術分野】
本発明は、入力された映像／音声信号からなる素材データを例えば放送網へ送出する際に、これをサーバに蓄積して管理するデータ管理システム及び方法、プログラム、記録媒体に関する。
【０００２】
【従来の技術】
従来、放送局により行われる番組放送では、放送用のビデオカメラで撮影した映像／音声信号としての素材データを、ノンリニアアクセス可能なサーバへ一度記録する。そして、サーバから事後的に再生される上記素材データに対して、更にコマーシャル用の素材データ等を挿入することによりテレビジョン放送用に編集して、これを放送網へ送出する。このような用途における素材データの記録又は再生処理は、例えば特許文献１に示すようなデータ記録再生装置を介して実行される。
【０００３】
図５は、かかるデータ記録再生装置の構成を示している。このデータ記録再生装置９において、外部から入力された素材データを記録する場合には、端子１６１Ａを介して入力されたデータをエンコーダ１６２にて圧縮し、更にこれをバッファメモリ１６６に一時的に記憶する。データ管理部１３４Ａは、自己に割り当てられたタイムスロットの期間において記録再生部１３３へアクセスし、バッファメモリ１６６に記憶されたデータにつき内部バス１３０を介して記録再生部１３３へ転送する。
【０００４】
記録再生部１３３では、転送されてきたデータをバッファメモリ１４９へ一時的に記憶させた後これを所定の単位で分割し、更にパリティデータを付加しつつこれをＨＤＤ１４５に記録する。
【０００５】
またＨＤＤ１４５に記録されているデータを外部へ出力する場合には、先ずデータ管理部１３４が自己に割り当てられたタイムスロットの期間において、記録再生部１３３へアクセスしてデータの再生を要求する。記録再生部１３３は、かかる要求を受けてビデオ用ディスクコントローラ１４７がＨＤＤ１４５に記録されているデータ並びにパリティデータを読み出して、エラー訂正を施し、素材データを再生する。この再生された素材データは、バッファメモリ１４９へ一時的に記憶された後、読み出されて内部バス１３０を介してデータ管理部１３４Ｂへ転送される。
【０００６】
この転送された素材データは、データ管理部１３４Ｂにおけるバッファメモリ１６７を経てデータ入出力部１３７Ｂ内のデコータ１６３によって伸長され、スイッチ１６５を経て端子１６１Ｂより外部へ出力される。
【０００７】
また、この素材データに更にコマーシャル用の素材データ等を挿入することによりテレビジョン放送用に編集する場合において、編集部１５１は、外部より入力されたデータ或いは記録再生部１３３により再生されたデータの少なくとも一方を抽出してこれを実行する。編集部１５１は、抽出したデータにつき自己が有するマトリックススイッチャやオーディオミキサ等を利用し、また必要に応じて特殊効果部１３９を利用してこれを編集する。即ち、この従来のデータ記録再生装置では、１台の装置によりデータの記録再生、入出力及び編集の機能を有することになる。
【０００８】
【特許文献１】
特開２０００−１４９４１０号公報
【０００９】
【発明が解決しようとする課題】
上述の如き従来のデータ記録再生装置に対して、生成された素材データを先ず記録するための素材サーバと、オンエア用に再編集する素材データを蓄積するためのＯＡサーバの２種のストレージで記録再生処理を実現するシステムが提案されている。
【００１０】
かかるシステムにおいて、特に、素材サーバとオンエアサーバ（以下、ＯＡサーバにという。）同一の素材データを記録し、これら各サーバに存在する当該素材データを１つのメタデータとして取り扱うことができるシステムが従来望まれている。また、何れかの一方のサーバに存在する素材データのみを削除等することができるシステムも望まれている。
しかしながら、素材サーバとＯＡサーバに同一の素材データを記録する場合に、従来では、素材サーバに格納されている素材データをＯＡサーバへ転送する必要があった。ちなみにこの転送レートは、一定の速度以下に制限されるため、大量の素材データをＯＡサーバへ転送する場合に長時間を要し、ひいては迅速な転送処理を実現することができないという問題点があった。
【００１１】
また、素材サーバとＯＡサーバの双方に記録されている同一の素材データを削除する場合やフォルダ間で移動させる場合、更にはファイル名を変更する場合等において、ユーザはこれらの処理動作をサーバ単位で実行しなければならず、労力の負担が過大になるという問題点があった。
【００１２】
更に上記システムでは、素材サーバに記録されている素材データのうち、ＯＡサーバへの転送を望む素材データを容易に分類することができ、またこれらを階層化させて一覧表示することにより、上記システムを管理するユーザの利便性を向上させる必要性もあった。
【００１３】
そこで、本発明は、上述した問題点に鑑みて案出されたものであり、その目的とするところは、素材サーバに蓄積された素材データをＯＡサーバとの間で同期させて一括管理することができるデータ管理システム及び方法を提供することにある。
【００１４】
【課題を解決するための手段】
本発明者は、上述した問題点を解決するために、生成された映像／音声信号からなる素材データを１以上の第１のサーバへ順次蓄積し、放送網へ送出する素材データを蓄積する１以上の第２のサーバに対し第１のサーバに蓄積されている素材データについて同期属性又は非同期属性の何れを有するか特定し、上記第１のサーバと上記第２のサーバとに存在する同一の素材データが同期属性を有する場合には、該素材データに対する処理動作を上記第１のサーバと上記第２のサーバとの間で同期化させるデータ管理システム及び方法、プログラム、記録媒体を発明した。
【００１５】
即ち、本発明を適用したデータ管理システムは、生成された映像／音声信号からなる素材データを順次蓄積する少なくとも１つの第１のサーバと、送出される素材データを蓄積する少なくとも１つの第２のサーバと、上記第１のサーバに蓄積されている素材データについて、上記第２のサーバに対し同期属性又は非同期属性の何れを有するか特定するための属性特定手段と、上記第１のサーバと上記第２のサーバとに存在する同期属性を有する同一の素材データに対する処理動作を同期化させる同期化手段とを有する電子機器とを備える。
【００１６】
本発明を適用したデータ管理方法は、生成された映像／音声信号からなる素材データを少なくとも１つの第１のサーバへ順次蓄積し、送出される素材データを蓄積する少なくとも１つの第２のサーバに対し、上記第１のサーバに蓄積されている素材データについて同期属性又は非同期属性の何れを有するか特定し、上記第１のサーバと上記第２のサーバとに存在する同一の素材データが同期属性を有する場合には、該素材データに対する処理動作を上記第１のサーバと上記第２のサーバとの間で同期化させる。
【００１７】
本発明を適用したプログラムは、生成された映像／音声信号からなる素材データを少なくとも１つの第１のサーバへ順次蓄積し、送出される素材データを蓄積する少なくとも１つの第２のサーバに対し、上記第１のサーバに蓄積されている素材データについて同期属性又は非同期属性の何れを有するか特定し、上記第１のサーバと上記第２のサーバとに存在する同一の素材データが同期属性を有する場合には、当該素材データに対する処理動作を上記第１のサーバと上記第２のサーバとの間で同期化させることをコンピュータに実行させる。
【００１８】
また、本発明を適用した記録媒体は、生成された映像／音声信号からなる素材データを少なくとも１つの第１のサーバへ順次蓄積し、送出される素材データを蓄積する少なくとも１つの第２のサーバに対し、上記第１のサーバに蓄積されている素材データについて同期属性又は非同期属性の何れを有するか特定し、上記第１のサーバと上記第２のサーバとに存在する同一の素材データが同期属性を有する場合には、当該素材データに対する処理動作を上記第１のサーバと上記第２のサーバとの間で同期化させることを実行させるためのプログラムを記録する。
【００１９】
【発明の実施の形態】
以下、本発明の実施の形態について図面を参照しながら詳細に説明する。
【００２０】
本発明は、映像／音声信号からなる素材データを管理するためのデータ管理システムに適用される。このデータ管理システム１は、主として放送局等に設置され、例えば図１に示すように、局内上位サブシステム２と、操作サブシステム３と、データベースサブシステム４と、大容量記憶サブシステム５と、送出系サブシステム６とを備えている。
【００２１】
局内上位サブシステム２は、例えば番組制作部門等に設置される上位管理システム２１と、この上位管理システム２１に接続されるデータゲートウェイ２２を有する。上位管理システム２１は、番組制作部門等により作成された放送番組のスケジュールを送信する。データゲートウェイ２２は、ネットワーク対応のパーソナルコンピュータ（ＰＣ）等により構成される。このデータゲートウェイ２２では、例えば２枚のネットワークカードをスロットに挿入し、一方のカードを上位管理システム２１へ接続するとともに、他方のカードをデータ管理システム１におけるＬＡＮ７に接続して、両ネットワーク間における必要なデータを選択的に転送する。
【００２２】
操作サブシステム３は、複数の端末装置３１〜３５を備えている。この端末装置３１〜３５は、ユーザにより操作されるＰＣ等で構成され、各素材データを管理するためのアプリケーションがそれぞれインストールされている。これらの端末装置３１〜３５は、例えば、収録、編集、送出監視、システム管理等、各処理動作別に役割分担させるようにしてもよいし、上述した処理動作を１台の端末装置で実現するようにしてもよい。
【００２３】
また、各端末装置３１〜３５には、それぞれＧＵＩ（Ｇｒａｐｈｉｃａｌ  Ｕｓｅｒ  Ｉｎｔｅｒｆａｃｅ）３１ａ〜３５ａが搭載され、更にはシステムを管理するユーザが各端末装置３１〜３５を操作するためのマウスやキーボードからなる操作部３１ｂ〜３５ｂが設けられている。
【００２４】
データベースサブシステム４は、例えば、ＳＱＬ（Ｓｔｒｕｃｔｕｒｅｄ  Ｑｕｅｒｙ  Ｌａｎｇｕａｇｅ）データベースエンジンに代表されるネットワーク対応のデータベースエンジンを搭載している。またこのデータベースサブシステム４は、各端末装置３１〜３５の操作部３１ｂ〜３５ｂを介して、レコードデータの参照、更新、追加を自由に行うことができるデータベーステーブルを備えている。このデータベーステーブルは、上位管理システム２１から送られてきたスケージュールデータや各端末装置３１〜３５で設定されたシステム設定値等のデータも管理する。
【００２５】
大容量記憶サブシステム５は、生成された素材データを先ず記録するための素材サーバ、並びにオンエア用に再編集する素材データを蓄積するＯＡサーバの２種のストレージで構成されている。この大容量記憶サブシステム５は、ＳＭＳ（Ｓｅｒｖｅｒ  Ｍａｎａｇｅｍｅｎｔ  Ｓｙｓｔｅｍ）４１と、ＩＤＣ（Ｉｎｔｅｌｌｉｇｅｎｔ  Ｄｅｖｉｃｅ  Ｃｏｎｔｒｏｌｌｅｒ）４２と、素材サーバ４３と、ＯＡサーバ４４と、カセットオートチェンジャー４６と、オートチェンジャー制御部４７と、モニタ部４８と、コマンド中継装置４９とを備えている。
【００２６】
ＳＭＳ４１ａ，ｂは、操作サブシステム３からＬＡＮ７を介して送信される制御コマンドに応じて、ＯＡサーバ４４ａ，ｂにおける入出力ポート等を始めとした各種リソース割り当てを制御するとともに、ＩＤＣ４２に対して当該制御コマンドを送出する。
【００２７】
ＩＤＣ４２ａ，ｂは、ＳＭＳ４１ａ，ｂから送出される制御コマンドに応じて、素材サーバ４３及びＯＡサーバ４４ａ，ｂをリアルタイム制御する。
【００２８】
素材サーバ４３は、高解像度の素材データを格納することができるストレージ（以下、同期元ストレージという。）により構成され、接続された端子４５を介して外部機器から送信される素材データを記録する。またこの素材サーバ４３は、後述するカセットオートチェンジャー４６に装着された磁気テープから再生される素材データを記録するようにしてもよい。
【００２９】
ＯＡサーバ４４ａ，ｂは、高解像度の素材データを格納することができる２つのストレージ（以下、同期先ストレージａ，ｂという。）により構成され、ＩＤＣ４２ａ，ｂによる制御の下、自身に蓄積されているオンエア用の素材データを送出サブシステム６へ送出する。
【００３０】
カセットオートチェンジャー４６は、ＯＡサーバ４４ａ，ｂに蓄積されている素材データを磁気テープへ記録する。オートチェンジャー制御部４７は、操作サブシステム３による制御の下、カセットオートチェンジャー４６における各種リソース割り当てを制御する。モニタ装置４８は、操作サブシステム３からの指示に応じて、ＯＡサーバ４４ａ，ｂから読み出された素材データをプレビューする。
【００３１】
コマンド中継装置４９は、操作サブシステム３と大容量記憶サブシステム５間におけるいわゆるコマンドインターフェースをとるための装置である。このコマンド中継装置４９は、例えば「Ｓｅｒｖｅｒ  Ｍａｎａｇｅｍｅｎｔ端末」と、「ＥＺＭＡＸ端末」と呼ばれる２つの装置で構成してもよい。ちなみに、このコマンド中継装置４９の機能を操作サブシステム３や大容量記憶サブシステム５に振り分けて構成することにより、システム構成を簡略化してもよい。
【００３２】
送出系サブシステム６は、送出制御システム６１と、この送出制御システム６１に接続された送出制御ゲートウェイ６２ａ，ｂと、マスタースイッチャー６３とを備えている。
【００３３】
送出制御システム６１は、スタンバイコマンドやスタンバイステータスデータ等に基づく通知データを送出制御ゲートウェイ６２ａ，ｂへ出力する。また、この送出制御システム６１は、ＯＡサーバ４４ａ，ｂに記録されている素材データを再生する場合において、ＩＤＣ４２ａ，ｂに対して再生開始信号を送信する。送出制御ゲートウェイ６２ａ，ｂは、データベースサブシステム４におけるテーブルデータを更新する。マスタースイッチャー６３は、オンエア可能時において、ＩＤＣ４２ａ，ｂに対してその旨の信号を通知する。かかる信号と上記再生開始信号を受けたＩＤＣ４２ａ，ｂは、ＯＡサーバ４４ａ，ｂにつき、記録されている素材データをマスタースイッチャー６３へ送出するように制御する。マスタースイッチャー６３へ送出された素材データは、そのまま放送網へ送出されることになる。
【００３４】
上述の構成からなるデータ管理システム１では、外部機器から送信される素材データを先ず素材サーバ４３に蓄積する。そして操作サブシステム３からの制御の下、所望の素材データをＯＡサーバ４４ａ、ｂへ同期させる。これにより、素材サーバ４３に蓄積されている素材データをＯＡサーバ４４ａ，ｂ上へ転送した場合とほぼ同様の効果が得られる。ＯＡサーバ４４ａ，ｂは、自身に記録されている素材データにつき、ＩＤＣ４２ａ，ｂを介して再生する旨の指示を受けて、これをマスタースイッチャー６３を介して外部の放送網へ送出する。
【００３５】
ここでいう同期とは、素材サーバ４３とＯＡサーバ４４とに存在する同一の素材データに対する処理動作を一致させることをいう。例えば素材サーバ４３に対して新たにデータを生成するという処理動作を実行した場合には、同様の処理動作がＯＡサーバにおいて実行されることになる。また同期素材データを構成するファイル（以下、同期ファイルという。）の名前を変更する場合には、素材サーバ４３に存在する同期ファイルの名前を変更するという処理動作を実行するのみで、ＯＡサーバに存在する同一の素材データを構成するファイルの名前が変更することになる。
【００３６】
なお、このデータ管理システム１において、管理すべき素材データを記録する各サーバ４３，４４は、アイランドと呼ばれる論理的な集合により定義することができる。即ち、このアイランドは、図２に示すように１つから２つのストレージから構成される。この図２に示す２つのストレージからなるアイランドでは、オンエア事故を防止するために案出したものであり、アイランドを構成する２つのストレージ内の素材データを完全に同期させることができる。ちなみに、上述した図１の構成例では、素材サーバ４３と、ＯＡサーバ４４という２つのアイランドを定義したものであり、ＯＡサーバ４４を構成する２つの同期先ストレージａ，ｂに記録される素材データは、完全に同期することになる。
【００３７】
これらの各サーバ４３，４４は、上述した素材データに加えて、素材データを構成するファイルを収納するためのフォルダを記録することができる。ユーザは、操作部３１ｂ〜３５ｂを介して、素材サーバ４３側においてフォルダを作成し、名前を変更し、移動し、削除する等の各種処理動作を実行することができる。
【００３８】
また、素材サーバ４３に蓄積されている素材データやフォルダについてアイランド間で同期する同期属性、又はアイランド間で同期しない非同期属性の何れを有するか決定することができる。このとき、アイランド直下にあるフォルダに対して何れかの属性が決定された場合には、そのフォルダの配下に作成されたフォルダや素材データは全て上位にある親フォルダの属性を継承することになる。
【００３９】
図３は、同期属性並びに非同期属性のフォルダが存在する場合におけるデータ構造を示している。この図３に示すアイランドｑは、同期元ストレージを有する素材サーバ４３に該当し、またアイランドｒは、同期先ストレージａ，ｂを有するＯＡサーバ４４に該当する。素材サーバ４３に存在する５つのフォルダｓ〜ｗのうち、同期属性を有するフォルダは、フォルダｕ〜ｗであり、非同期属性を有するフォルダは、フォルダｓ，ｔである。
【００４０】
同期属性を有するフォルダｕ〜ｗは、何れのアイランドｑ，ｒにもリンクするのに対して、非同期属性を有するフォルダは、直上のアイランドｑのみにリンクする点において異なる。
【００４１】
ちなみに、非同期属性を有するフォルダｓには、素材データＬ１を構成するファイルｙが収納され、また同期属性を有するフォルダｕには素材データＬ２を構成するファイルｚが収納されている。各フォルダの配下にある素材データは、親フォルダと同一の属性を有するため、同期属性を有するフォルダｕに収納される素材データＬ２は、各アイランドｑ、ｒにリンクする全てのストレージに記録されるのに対して、非同期属性を有するフォルダｓにある素材データＬ１は、アイランドｑにリンクする同期元ストレージのみに記録されることになる。
【００４２】
ユーザは、各素材データにつき、同期属性を持たせるか、非同期属性を持たせるかを各端末装置３１〜３５の操作部３１ｂ〜３５ｂを介して、ドラッグアンドドロップ操作することにより、容易に特定することができる。具体的には、素材データを構成するファイルを、同期属性を有するフォルダ又は非同期属性を有するフォルダの何れかに収納することにより、これを実現することが可能となる。
【００４３】
即ち、本発明を適用したデータ管理システム１では、素材サーバ４３において同期属性を持たせた素材データを、異なるアイランドにあるＯＡサーバ上に同期させることができる。これにより、素材サーバ４３とＯＡサーバ４４とに存在する当該素材データを１つのメタデータとして取り扱うことができる。また素材サーバ４３において既に格納されている素材データをＯＡサーバ４４へ転送することなく、各サーバ内において同一の素材データを迅速に記録させることが可能となる。
【００４４】
また、素材サーバ４３において既に格納されている素材データをＯＡサーバ４４へ転送する際には、両者間をリンクするケーブルを各サーバ４３，４４における入出力ポートに接続する必要が生じるが、上述の如く各サーバ４３，４４間で素材データを同期させるデータ管理システム１では、使用する入出力ポート数を削減することができ、システム全体の効率を上げることができる。特にＯＡサーバ４４における各入出力ポートは、オンエア時において、放送網へリンクするためのケーブルが主として接続されることになり、素材サーバ４３とのリンク接続用に多くを割り当てることができないが、かかる場合においても使用する入出力ポート数を削減することができる本発明は有利となる。
【００４５】
またこのデータ管理システム１では、ＯＡサーバ４４における全ての入出力ポートを放送網へのリンク接続に割り当てる場合であっても、事後的に素材サーバ４３とＯＡサーバ４４を接続することにより、素材サーバ４３における素材データ等への各種処理動作をＯＡサーバ４４上の素材データへ同期させることが可能となる。
【００４６】
なお、本発明を適用したデータ再生システム１では、上述した素材データやフォルダを階層化させたいわゆるツリー構造を、各端末装置３１〜３５におけるＧＵＩ３１ａ〜３５ａ上に表示してもよい。
【００４７】
図４は、かかるＧＵＩ３１ａ〜３５ａ上に表示されるツリー構造の例を示している。図４（ａ）に示されるルートディレクトリの直下には、“素材サーバ”と“ＯＡサーバ”が存在し、“素材サーバ”の直下には更に“非同期フォルダ”、“同期フォルダ”が用意されている。この“同期フォルダ”は、同期属性を有するフォルダを意味し、また“非同期フォルダ”は、非同期属性を有するフォルダを意味している。また“ＯＡサーバ”の直下には“同期フォルダ”が用意されている。
【００４８】
“素材サーバ”側の“同期フォルダ”と、“ＯＡサーバ”側の“同期フォルダ”には、共に、素材データＭ１，Ｍ２が収納されている。また、“非同期フォルダ”には、素材データＮ１，Ｎ２が収納されている。
【００４９】
即ち、このＧＵＩ３１ａ〜３５ａの表示例では、各サーバ４３、４４に記録される素材データやフォルダを、同期属性を有するか、又は非同期属性を有するか分類してこれを１つの画面上に一覧表示することができる。これにより、ユーザはＧＵＩ３１ａ〜３５ａ上の画面を視認することにより、各サーバ４３、４４に記録されている素材データの属性を容易に見極めることができ、システム全体を管理するユーザの利便性を向上させることができる。またユーザは、このＧＵＩ３１ａ〜３５ａ上に表示されるツリー構造を視認しつつ、操作部３１ｂ〜３５ｂを介して所望の素材データにつきドラッグアンドドロップ操作することができるため、さらに労力の負担を軽減させることができる。
【００５０】
また、このＧＵＩ３１ａ〜３５ａ上に表示されるツリー構造として、例えば図４（ｂ）に示すように、各“同期フォルダ”及び“非同期フォルダ”の直下において更に“部署Ａ１”、“部署Ａ２”、・・からなるフォルダを設けるようにしてもよい。部署毎に階層化したフォルダを新たに設けることにより、複数の部署で本システム１を共有する場合において、特に利便性を向上させることができる。
【００５１】
このとき、都合により他の部署のユーザに対して見られたくない素材データが存在する場合等において、上記部署毎に階層化したフォルダにつき他の部署のユーザに対するアクセス制限を設けるようにしてもよい。このアクセス制限では、例えば、部署Ａ１以外のユーザが、“部署Ａ１”のフォルダをクリックした場合において、アクセス制限がされている旨をＧＵＩ３１ａ〜３５ａ上に表示するとともに、当該フォルダ内にある素材データをＧＵＩ３１ａ〜３５ａ上に表示させないように制御してもよいし、また、部署Ａ１以外にある端末装置３１〜３５のＧＵＩ３１ａ〜３５ａ上に、上記“部署Ａ１”のフォルダを表示させないように制御してもよい。
【００５２】
なおこれらのフォルダや素材データにつき、ユーザは、操作部３１ｂ〜３５ｂを用いることにより、更に名前を変更させることができる。このとき、例えば図４（ａ）に示すＧＵＩ３１ａ〜３５ａ画面上において、“素材サーバ”直下の“同期フォルダ”内にあるフォルダや素材データをクリックして、フォルダ名等を変更するという処理動作を実行する。これにより、“ＯＡサーバ”直下の“同期フォルダ”内にある同一のフォルダ等のフォルダ名等が、上記処理動作に連動して変更されることになる。即ち、同期元としての素材サーバ４３内にあるフォルダ等の名前を変更することにより、当該変更されたフォルダ等に同期する、他のアイランドにリンクするフォルダ等の名前を即座に変更することができる。
【００５３】
また、ユーザは、操作部３１ｂ〜３５ｂを用いることにより、フォルダや素材データを削除することができる。このとき、例えば図４（ａ）に示すＧＵＩ３１ａ〜３５ａ画面上において、“素材サーバ”直下の“同期フォルダ”内にあるフォルダや素材データをクリックして削除するという処理動作を実行する。これにより、“ＯＡサーバ”直下の“同期フォルダ”内にある同一のフォルダ等が、上記処理動作に連動して削除されることになる。即ち、同期元としての素材サーバ４３内にあるフォルダ等を削除することにより、当該削除されたフォルダ等に同期する、他のアイランドにリンクするフォルダ等を即座に削除することが可能となる。
【００５４】
また、ユーザは、操作部３１ｂ〜３５ｂを用いることにより、上述したフォルダや素材データを、他のフォルダ直下へ移動させることができる。このとき、例えば図４（ａ）に示すＧＵＩ３１ａ〜３５ａ画面上において、“素材サーバ”直下の“同期フォルダ”内にあるフォルダや素材データをクリックして、他のフォルダ直下へ移動させる処理動作を実行する。これにより、“ＯＡサーバ”直下の“同期フォルダ”内にある同一のフォルダ等が、上記処理動作に連動して、当該他のフォルダ直下へ移動することになる。即ち、同期元としての素材サーバ４３内にあるフォルダ等を移動することにより、当該移動させられたフォルダ等に同期する、他のアイランドにリンクするフォルダ等を即座に移動させることが可能となる。
【００５５】
このように、本発明を適用したデータ管理システム１において、ユーザは、素材サーバ４３に記録されている素材データに対して、操作部３１ｂ〜３５ｂを用いることにより、実行すべき処理動作を指定する。そして、素材サーバ４３側において、同期属性を示す素材データに処理動作が指定された場合には、当該処理動作を素材サーバ４３とＯＡサーバ４４間で同期させた各素材データに対して実行する。
【００５６】
これにより、素材サーバ４３とＯＡサーバ４４の双方に同期する素材データを削除する場合やフォルダ間で移動させる場合、更にはファイル名を変更する場合等において、ユーザはこれらの処理動作をサーバ単位で実行する必要がなくなり、労力の負担を軽減することができる。
【００５７】
なお、本発明は、上述した実施の形態に限定されるものではない。上記データ管理システム１では、素材サーバ４３の数を１つで構成し、ＯＡサーバ４４の数を２つで構成する場合を例にとり説明をしたが、この素材サーバ４３の数、ＯＡサーバの数は、共に１以上であれば、いかなる数で構成してもよい。かかる場合において、各サーバ４３、４４の数を増加させた場合には、これらがデージーチェーン接続されて、図１に示す縦方向、又は横方向に連なることになる。
【００５８】
また本発明では、素材データ又はフォルダにつきにつき同期属性又は非同期属性の何れを有するかにつき、ユーザが操作部３１ｂ〜３５ｂを処理操作することにより特定するが、かかる場合に限定されるものではなく、端末装置３１〜３５が自動的に特定するようにしてもよいし、端末装置にインストールするアプリケーションの出荷時において予め特定されているようにしてもよい。更に、この素材データ又はフォルダについては、或る特定のユーザのみが、同期属性又は非同期属性の何れを有するか特定できるようにしてもよい。
【００５９】
また本発明は、上述したデータ管理システム１に適用される場合に限定されるものではなく、例えば、上述した動作を端末装置３１〜３５に実行させるためのアプリケーションプログラムとして適用してもよいし、また、かかるプログラムが記録された記録媒体として適用してもよいことは勿論である。
【００６０】
【発明の効果】
以上詳細に説明したように、本発明を適用したデータ管理システム及び方法、プログラム、記録媒体は、生成された映像／音声信号からなる素材データを１以上の第１のサーバへ順次蓄積し、送出される素材データを蓄積する１以上の第２のサーバに対し第１のサーバに蓄積されている素材データについて同期属性又は非同期属性の何れを有するか特定し、同期属性を有する素材データを上記第２のサーバに対して同期させる。
【００６１】
これにより、第１のサーバと第２のサーバとに存在する素材データを１つのメタデータとして一括管理することができ、また第１のサーバにおいて既に格納されている素材データを第２のサーバへ迅速に記録させることが可能となる。
【図面の簡単な説明】
【図１】本発明を適用したデータ管理システムの構成を示す図である。
【図２】アイランド並びにこれを構成するストレージにつき説明するための図である。
【図３】同期属性並びに非同期属性のフォルダが存在する場合におけるデータ構造を示す図である。
【図４】ＧＵＩ上に表示されるツリー構造の例を示す図である。
【図５】従来におけるデータ記録再生装置の構成を示す図である。
【符号の説明】
１  データ管理システム、２  局内上位サブシステム、３  操作サブシステム、４  データベースサブシステム、５  大容量記憶サブシステム、６  送出系サブシステム、３１〜３５  端末装置、４３  素材サーバ、４４  ＯＡサーバ
【図１】
2005004661.tif 000003
【図２】
2005004661.tif 000004
【図３】
2005004661.tif 000005
【図４】
2005004661.tif 000006
【図５】
2005004661.tif 000007